(57)【要約】【課題】プラスチックレンズの帯電状態を比較的簡便で安価に検査することができるレンズ用帯電状態検査具を提供する。【解決手段】レンズ用帯電状態検査具１は、上方に開放する導電材料製の容器３と、この容器３内に収納された微小な粒状の誘電体からなる多数の物質４と、透光性および可撓性を有し容器３の開口部を覆うことにより物質４の容器３外への飛び出しを阻止する被覆部材６と、静電気発生部材７とを備えている。検査時にプラスチックレンズ２を被覆部材６上に載置し、静電気発生部材７によってレンズ２の凹面２ｂを押し付けて摩擦すると静電気が発生し、容器内部の物質４を吸引する。このため、物質４は浮き上がって被覆部材６の下面に付着する。レンズ２および被覆部材６を透して被覆部材６に付着している物質４を視認することにより、レンズ２の帯電状態が検査される。【選択図】  図４
2009085744.tif 000002
【特許請求の範囲】
【請求項１】
上方が開放する容器と、この容器内に収納された微小な粒状の誘電体からなる多数の物質と、透光性および可撓性を有し前記容器の開口部を覆うことにより前記物質の容器外への飛び出しを阻止する被覆部材と、この被覆部材の上に一方の光学面を下にして載置されるプラスチックレンズの他方の光学面を押し付け摩擦し当該レンズの両光学面に静電気をそれぞれ発生させる静電気発生部材とを備えたことを特徴とするレンズ用帯電状態検査具。
【請求項２】
請求項１記載のレンズ用帯電状態検査具において、
前記容器は、導電材料製であることを特徴とするレンズ用帯電状態検査具。
【請求項３】
請求項１または２記載のレンズ用帯電状態検査具において、
前記物質は不透明かまたは着色されていることを特徴とするレンズ用帯電状態検査具。
【請求項４】
請求項１〜３のうちいずれか一項に記載のレンズ用帯電状態検査具において、
前記物質は、大きさが０．１〜２ｍｍであって、球状、楕円状、長円状または円柱状に形成されていることを特徴とするレンズ用帯電状態検査具。
【請求項５】
請求項１〜４のうちのいずれか一項に記載のレンズ用帯電状態検査具において、
前記被覆部材は、絶縁材料によってメッシュが前記物質より小さいネット状に形成されていることを特徴とするレンズ用帯電状態検査具。
【請求項６】
請求項１〜４のうちのいずれか一項に記載のレンズ用帯電状態検査具において、
前記被覆部材は、透明な薄いプラスチックシートによって形成されていることを特徴とするレンズ用帯電状態検査具。
【請求項７】
請求項１〜６のうちのいずれか一項に記載のレンズ用帯電状態検査具において、
前記物質は、前記被覆部材の裏面最下部から前記物質までの距離が５〜３０ｍｍの範囲内になるように前記容器に収納されていることを特徴とするレンズ用帯電状態検査具。
【請求項８】
内部に微少な粒状の誘電体からなる多数の物質が収納され、上方開口部が透光性および可撓性を有する被覆部材によって覆われた容器の前記被覆部材上にプラスチックレンズを一方の光学面を下にして載置する工程と、
前記プラスチックレンズの他方の光学面を静電気発生部材によって押し付け摩擦し当該レンズの両光学面に静電気をそれぞれ発生させる工程と、
前記容器内の物質が前記被覆部材の下面に付着したか否かを前記レンズおよび被覆部材を透して視認する工程と、
を備えたことを特徴とするレンズの帯電状態検査方法。
【発明の詳細な説明】
【技術分野】
【０００１】
本発明は、プラスチックレンズの帯電状態を検査するレンズ用帯電状態検査具およびレンズの帯電状態検査方法に関するものである。
【背景技術】
【０００２】
プラスチック等の誘電体（絶縁体）の帯電状態を検査する装置としては、表面の電気抵抗率を測定する表面抵抗計（例えば、三菱化学製  商品名「ハイレスターＵＰ」）や、所定の測定距離をおいて対向するガラスプレートと導体との間の電位を測定し、その結果と前記測定距離とからガラスプレートの極性および帯電量を測定する帯電状態測定装置（例えば、特許文献１、２参照）が知られている。
【０００３】
また、レンズ表面の帯電状態を検査する簡便な方法としては、例えばレンズの表面をポリエステルの布で押し付けて所定回数摩擦し、その摩擦した面を煙草の灰に近づけ、灰が付着するか否かによってレンズの帯電、非帯電状態を検査したり（特許文献１参照）、粉状の発泡スチロールを用いて帯電状態を検査する方法が知られている。
【０００４】
【特許文献１】特開２０００−１６２７８０号公報
【特許文献２】特開２００１−１４１９０１号公報
【発明の開示】
【発明が解決しようとする課題】
【０００５】
しかしながら、帯電したレンズの表面に煙草の灰や粉状の発泡スチロール等からなる誘電体を帯電によるクーロン力によって直接付着させると、それを取り除くことが難しく、手で払ったり吹き飛ばしたりすると、誘電体が周囲に飛散して他の物品等に付着したり床に落下し、その回収に煩わしさが伴うという問題があった。
また、レンズ表面の帯電状態を評価するために表面抵抗計や帯電状態測定装置によって測定しても、その測定値からだけではどの程度の帯電性を有するものであるのか、言い換えればどの程度の量の誘電体が付着するのか判り難いという問題があった。
【０００６】
本発明は、上記した従来の問題を解決するためになされたもので、その目的とするところは、レンズの帯電状態を比較的簡便な方法で視覚的に検査することができるレンズ用帯電状態検査具およびレンズの帯電状態検査方法を提供することにある。
【課題を解決するための手段】
【０００７】
上記目的を達成するために、本発明に係るレンズ用帯電状態検査具は、上方が開放する容器と、この容器内に収納された微小な粒状の誘電体からなる多数の物質と、透光性および可撓性を有し前記容器の開口部を覆うことにより前記物質の容器外への飛び出しを阻止する被覆部材と、この被覆部材の上に一方の光学面を下にして載置されるプラスチックレンズの他方の光学面を押し付けて摩擦し当該レンズの両光学面に静電気をそれぞれ発生させる静電気発生部材とを備えたものである。
【０００８】
また、本発明は、上記発明において、上方が解放する容器が導電材料製である。
【０００９】
また、本発明は、上記発明において、前記物質が不透明かまたは着色されているものである。
【００１０】
また、本発明は、上記発明において、前記物質は、大きさが０．１〜２ｍｍであって、球状、楕円状、長円状または円柱状に形成されているものである。
【００１１】
また、本発明は、上記発明において、前記被覆部材は、メッシュが前記物質より小さいネット状に形成されているものである。
【００１２】
また、本発明は、上記発明において、前記被覆部材が透明な薄いプラスチックシートで形成されているものである。
【００１３】
また、本発明は、上記発明において、前記物質は、前記被覆部材の裏面最下部から前記物質までの距離が５〜３０ｍｍの範囲内になるように前記容器に収納されているものである。
【００１４】
さらに、本発明に係るレンズの帯電状態検査方法は、内部に微小な粒状の誘電体からなる多数の物質が収納され、上方開口部が透光性および可撓性を有する被覆部材によって覆われた容器の前記被覆部材上にプラスチックレンズを一方の光学面を下にして載置する工程と、前記プラスチックレンズの他方の光学面を静電気発生部材によって押し付けて摩擦し当該レンズの両光学面に静電気をそれぞれ発生させる工程と、前記容器内の物質が前記被覆部材の下面に付着したか否かを前記レンズおよび被覆部材を透して視認する工程とを備えたものである。
【発明の効果】
【００１５】
本発明において、静電気発生部材によってプラスチックレンズの上になっている光学面を摩擦すると、摩擦電気（静電気）が発生し両光学面が帯電する。帯電量は、静電気発生部材とレンズとの接触面積、押圧力、押し付けて摩擦する回数等によって異なり、接触面積、押圧力が大きくなれば、また押し付けて摩擦する回数が多くなれば、帯電量も大きくなる。レンズが帯電すると、被覆部材も帯電するため、容器内の誘電体からなる物質はレンズと被覆部材に吸引されて浮き上がり被覆部材の下面に付着する。レンズおよび被覆部材を透して被覆部材の下面に付着している物質を視認することにより、レンズの帯電状態を検査することができる。被覆部材は、物質が容器から飛び出しレンズに付着するのを阻止する。
【００１６】
本発明においては、上部が開口している容器が導電材料製であるので、物質の静電気による容器内壁への付着が抑制される。また、物質間の摩擦により帯電しても導電材料製の容器に電荷が流れこむため、物質の過剰な帯電が阻止される。
【００１７】
本発明においては、物質が不透明か着色されているので、レンズおよび被覆部材を透して物質の視認を容易にする。特に、容器の色や被覆部材の色と異なる色に着色されていると、物質の視認を一層容易にする。
【００１８】
本発明においては、物質が球状、楕円状、長円状または円柱状に形成されているので、物質どうしが点または線状に接触してダマ状に固まらない。
【００１９】
本発明においては、被覆部材がネット状に形成されているので、メッシュを透して物質が付着しているか否かを視認することができる。
【００２０】
本発明においては、被覆部材が透明な薄いプラスチックシートによって形成されているので、シートを透して物質が付着しているか否かを視認することができる。
【００２１】
本発明においては、物質を被覆部材の裏面最下部から前記物質までの距離が５〜３０ｍｍの範囲内になるように容器に収納しているので、物質を被覆部材に付着させることができる。５ｍｍ以下であると、付着量が増大したり、凸側光学面を下にしてレンズを載置したとき、被覆部材が凸側光学面に追随して変形すると物質に接触するおそれがあるため好ましくない。３０ｍｍ以上であると、レンズと被覆部材が帯電していても物質を吸引し難くなるため好ましくない。より好ましい距離は、１０〜１５ｍｍである。
【００２２】
本発明において、「微小な粒状」とは、大きさが０．１〜１０ｍｍ程度の小片を示しており、粒の形状は特に限定されない。具体的な粒子の形状としては、球状、楕円状、長円状、円柱状等の曲面を有する立体形状の他、シートを正方形、長方形、多角形等の適宜形状に切断した平面のみで構成される鱗片状（薄片状）のものも、ここでいう「粒状」の形状に含まれる。
【発明を実施するための最良の形態】
【００２３】
以下、本発明を図面に示す実施の形態に基づいて詳細に説明する。
図１は本発明に係るレンズ用帯電状態検査具の一実施の形態を示す分解斜視図、図２はレンズ用帯電状態検査具の断面図、図３はプラスチックレンズを帯電させ始めた状態を示す断面図、図４は帯電し終わった状態を示す断面図である。これらの図において、レンズ用帯電状態検査具１は、プラスチックレンズ（以下、レンズという）２が帯電しているか否かを検査するために用いられるもので、容器３と、この容器３に収納された微小な粒状の誘電体からなる多数の物質４と、容器３の開口部５を覆う被覆部材６と、レンズ２を帯電させる静電気発生部材７とを備えている。
【００２４】
前記レンズ２は、外径が例えば７５ｍｍの円形でメニスカス形状に形成されることにより、凸側光学面２ａと、凹側光学面２ｂを有している。レンズ２のレンズ基材としては、メタクリレート系樹脂、ポリウレタン系樹脂、ポリカーボネート系樹脂、アクリレート系樹脂、ポリエステル系樹脂等が用いられる。
【００２５】
前記容器３は、ＳＵＳ、アルミニウム等の導電材料によって上方が開放する有底円筒状に形成され、前記レンズ２の外径より小さな外径（例えば、レンズ外径の１／２〜９５／１００）を有している。
【００２６】
前記粒状の誘電体からなる物質４としては、静電的に電子がプラスとマイナスに分離し易い、言い換えれば帯電し易い材質で、かつ比較的軽量の物質が用いられる。例えば、負電気が帯電し易いフッ素樹脂、塩化ビニル、セロファン、セルロイド、ポリエチレン、アクリル、ポリエステル、ポリプロピレン、ポリスチレン（スチロール）や、正電気が帯電し易い羊毛、ナイロン（商標）、レーヨン、木綿等が用いられる。物質４の重量や加工性を考慮すると、ポリエチレン、アクリル、ポリエステル、ポリプロピレン、ポリスチレンなどを用いることが好ましい。代表的なプラスチックの摩擦帯電列は、レーヨン、ポリエステル、ウレタン、ポリエチレン、ビニール、フッ素樹脂の順に負電気の発生量が大きくなる。
【００２７】
また、物質４としてプラスチック材料を用いる場合には、発泡樹脂（例えば、ポリスチレンの発泡樹脂である発泡スチロール）を用いると、物質４が軽量化されるためより好ましい。さらに、物質４としては、視認を容易にするため、無色透明なものよりも不透明なものかまたは適宜な色、例えば赤色や黄色に着色されているものであることが望ましい。特に、容器３の色や被覆部材６の色と異なる色に着色されていると、物質４の視認を一層容易にするためより好ましい。
【００２８】
物質４の形状としては、平面の少ない丸みを帯びた形状、例えば球状、楕円状、長円状または円柱状に形成されているものが望ましい。このような丸みを帯びた形状であると、物質４どうしが点または線状に接触するため、大きなダマ状に固まるのを防止することができる。
【００２９】
物質４の大きさとしては、０．１〜２ｍｍの範囲内であることが望ましい。０．１ｍｍ以下であると、小さすぎて被覆部材６に付着した後に取り除くのが困難になるため好ましくない。２ｍｍ以上であると、重くなって被覆部材６に付着し難くなるため好ましくない。物質４が楕円状、長円状または円柱状の場合、短径が０．１ｍｍ、長径が２ｍｍ程度のものであればよい。
【００３０】
前記被覆部材６は、容器３の上方が開放する開口部５を覆い物質４が容器３の外部に飛び出しレンズ２に付着するのを阻止するために用いられるもので、透光性および可撓性を有し、かつレンズ２を傷つけない柔らかさを有する絶縁材料によって前記容器３の外径より大きな円形に形成され、外周縁部が容器３の外周面上端部に沿って折り曲げられ、接着剤によって固着されている。被覆部材６を開口部５に取付ける場合は、緊張した状態ではなく、図２に示すようにレンズ２の凸面２ａの形状と略一致するように撓んだ状態で取付けることが好ましい。このように撓んだ状態で取付けておくと、レンズ２を被覆部材６の上に凸側の光学面２ａを下にして載置したとき、被覆部材６を凸面２ａに沿って近接または密着させることができる。
【００３１】
被覆部材６としては、前記物質４と同様な材料からなる細い糸でネット状に編んだものとか、透明な薄いプラスチックシート等が用いられる。本実施の形態においては、ポリエステル等の繊維でネット状に形成したものを用いた例を示している。ネットのメッシュは、物質４の粒径よりも小さい大きさとされる。
【００３２】
被覆部材６がネット状に形成されている場合は、レンズ２を凸側光学面２ａを下にして載置したとき、凸側光学面２ａが被覆部材６を押圧して伸長させると、メッシュが大きくなって物質４が飛び出すおそれがあるため、軽く接触するかまたは非接触状態でなるように、被覆部材６を容器３の開口部５に取付けることが望ましい。一方、プラスチックシートの場合は、微小な穴を有していないため、凸側光学面２ａが被覆部材６を押圧して多少伸長させても何ら問題ない。
【００３３】
容器３の開口部５に被覆部材６を取付けた状態において、被覆部材６の下面中央から最上層の物質４までの距離Ｄ（図２）は、物質４の重量、材質、レンズ２の帯電量等にもよるが、５〜３０ｍｍ、より好ましくは１０〜１５ｍｍの範囲内とされる。距離Ｄが５ｍｍ以下であると、あまり近すぎて物質４の付着量が増大したり、レンズ２を載置したとき被覆部材６が物質４に接触するおそれがあるため好ましくない。３０ｍｍ以上であると、離れすぎて物質４の付着量が減少するため好ましくない。
【００３４】
前記静電気発生部材７は、レンズ２の上になっている光学面２ｂに押し付けて摩擦することにより静電気を発生させるために用いられるもので、レンズ２と接触する部分が帯電し易い材質でできているものであればどのようなものであってもよい。例えば、一般的なナイロンやポリエステルでできている眼鏡レンズ拭きを静電気発生部材７として用いてもよい。この他、内部に綿を入れて袋綴じした形態のものであってもよい。さらには、黒板消しのように立方体の１つの面を帯電し易い布で覆ったものであってもよい。
【００３５】
次に、上記構造からなるレンズ用帯電状態検査具１による帯電状態の検査手順について説明する。
まず、レンズ用帯電状態検査具１を用意し、物質４が被覆部材６の下面に付着していないことを確認する。確認が終わると、次に被覆部材６の上にレンズ２を凸面２ａを下にして載置し、被覆部材６に凸面２ａを軽く接触させるまたは近接対向させる。そして、この状態でレンズ２の凹面２ｂを静電気発生部材７によって所定回数（例えば、１０回）押し付けて摩擦する（図３）。
【００３６】
レンズ２の凹面２ｂを静電気発生部材７によって押し付けて摩擦すると、摩擦によりレンズ２と静電気発生部材７に静電気が発生する。この場合、レンズ表面に帯電防止処理が施されていない表面抵抗が極めて高いレンズ２であれば、凸面２ａと凹面２ｂに帯電する。この帯電量は、静電気発生部材７とレンズ２との接触面積、押圧力、押し付けて摩擦する回数等によって異なり、接触面積、押圧力がそれぞれ大きくなれば、また押し付けて摩擦する回数が多くなれば、帯電量も大きくなる。また、静電気発生部材７として、ポリエチレンやポリエステルの布を用いた場合は、静電気発生部材７のレンズ２と接触する面に負電気が生じるため、レンズ２の凹面２ｂには正電気が帯電し、凸面２ａには負電気が帯電する。
【００３７】
レンズ２の光学面２ａ、２ｂが帯電すると、これにともない被覆部材６も帯電する。被覆部材６は、レンズ２の凸面２ａがマイナスに帯電している場合は、表面がプラスに帯電し、裏面がプラスに帯電する。容器３内の物質４は、レンズ２および被覆部材６の帯電により静電的に電子がプラスとマイナスに分離され、被覆部材６に対向する上側の面に負電気が帯電し、下側の面に正電気が帯電する。このため、物質４は、レンズ２および被覆部材６に吸引されて浮上し、被覆部材６の下面に付着する。図４はこの状態を示す。この物質４の付着量は、帯電し易いレンズほど多い。
【００３８】
レンズ２が帯電しているか否かを検査するには、レンズ２を上方から視認し、被覆部材６に物質４が付着しているか否かをレンズ２および被覆部材６を透して視認すればよい。物質４が被覆部材６に付着している場合は、帯電し易いレンズであり、汚れが付き易く、汚れが採れ難いレンズである。一方、物質４が付着していないかもしくは付着量がきわめて少ない場合は、帯電し難いレンズであり、汚れが付き難く、汚れても汚れを採り易いレンズである。測定した結果、表面抵抗が５×１０9 Ω／□のレンズでは物質４の付着が確認されず、１０12〜13Ω／□のレンズでは物質４の付着が確認された。
【００３９】
このように本発明に係るレンズ用帯電状態検査具１によれば、レンズ２を被覆部材６の上に載置して静電気発生部材７によりレンズ２を押し付けて所要回数摩擦し、物質４が被覆部材６に付着したか否かを視認するだけでよいので、レンズ２が帯電し易いレンズであるか否かを容易にかつ確実に検査することができ、またレンズ２に物質４が付着するおそれがなく、さらに検査が終了してレンズ２をレンズ用帯電状態検査具１から取り外しても容器３内の物質４が容器３の外部に飛び出すおそれもないので、レンズ２から物質４を取り除く作業を必要とせず、また周囲の環境を清浄に保つことができる。また、検査終了後は、被覆部材６の帯電状態が徐々に弱くなり、一定時間経つと、付着していた物質４は自重により落下または被覆部材６に振動を与えることにより、落下するため、引き続き次のレンズの検査を行なうことができる。
【００４０】
また、レンズ用帯電状態検査具１は、構造が簡単で安価に製作することができ、しかも取り扱いがきわめて簡単かつ容易であるため、眼鏡店の店頭や展示会場に展示し、店員や係員が実演したりあるいはまた眼鏡装用者等の第三者自身による帯電性の検査に供することができる。
【００４１】
さらに、容器３を導電材料で形成しているので、物質４が過剰に帯電したり、容器に付着することもない。
【００４２】
上記した実施の形態においては、レンズ２を凸側光学面２ａを下にして被覆部材６の上に載置した場合について説明したが、凹側光学面２ｂを下にして載置してもよい。その場合は、凹側光学面２ｂのカーブによっては凹側光学面２ｂと被覆部材６との距離が大きくなるため、凸側光学面２ａを下にして載置した場合に比べて静電気発生部材７により押し付けて摩擦する回数を多くして、静電気の発生量を大きくすることが望ましい。
【００４３】
なお、上記した実施の形態は、容器３として導電材料製のものを用いたが、これに限らずガラス容器（シャーレ）を用いてもよい。
【図面の簡単な説明】
【００４４】
【図１】本発明に係るレンズ用帯電状態検査具の一実施の形態を示す分解斜視図である。
【図２】レンズ用帯電状態検査具の断面図である。
【図３】プラスチックレンズを帯電させ始めた状態を示す断面図である。
【図４】帯電し終わった状態を示す断面図である。
【符号の説明】
【００４５】
１…レンズ用帯電状態検査具、２…プラスチックレンズ、３…容器、４…物質、５…開口部、６…被覆部材、７…静電気発生部材。
【図１】
2009085744.tif 000003
【図２】
2009085744.tif 000004
【図３】
2009085744.tif 000005
【図４】
2009085744.tif 000006